【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
光起電力デバイスであって、
(a)該光起電力デバイスを密閉する外部透明ケーシング；
(b)任意に中空コアを有する基材であって、該基材及び該外部透明ケーシングが内部体積を規定する、前記基材；
(c)該基材上に配置された少なくとも1つのソーラーセル；
(d)該内部体積内で該少なくとも1つのソーラーセルを密閉するフィラー組成物を含むフィラー層；及び
(e) (i)該内部体積内の容器、又は(ii) 該基材内に任意に存在する中空コア中に形成されている容器、
を含み、該容器が：
該フィラー層が熱膨張する場合に該容器の容器体積が減少するように、かつ、
該フィラー層が熱収縮する場合に該容器の容器体積が増加するように構成されている、前記光起電力デバイス。
【請求項２】
前記容器が複数の峰部を持つ密閉された容器を含む、請求項１記載の光起電力デバイス。
【請求項３】
前記複数の峰部中のそれぞれの峰部が、前記容器の表面上に均一に間隔を空けて配置されている、請求項２記載の光起電力デバイス。
【請求項４】
前記複数の峰部中の峰部が、前記容器の表面上に均一に間隔を空けて配置されていない、請求項２記載の光起電力デバイス。
【請求項５】
前記容器がプラスティック又は金属でできている、請求項１〜４のいずれか１項記載の光起電力デバイス。
【請求項６】
前記容器が少なくとも1立方センチメートルの容器体積を有する、請求項１〜５のいずれか１項記載の光起電力デバイス。
【請求項７】
前記容器が第1開口部を有し、該第1開口部がスプリング充填シールにより密閉されている、請求項１〜６のいずれか１項記載の光起電力デバイス。
【請求項８】
前記容器が第1開口部及び第2開口部を有し、
該第1開口部が第1スプリング充填シールにより密閉されており；
該第2開口部が第2スプリング充填シールにより密閉されている
請求項１〜６のいずれか１項記載の光起電力デバイス。
【請求項９】
前記容器がバルーンである、請求項１〜６のいずれか１項記載の光起電力デバイス。
【請求項１０】
前記容器が、ゴム、ラテックス、クロロプレン又はナイロン生地でできている、請求項１〜９のいずれか１項記載の光起電力デバイス。
【請求項１１】
前記容器が細長い星形形状を有する、請求項１〜１０のいずれか１項記載の光起電力デバイス。
【請求項１２】
前記容器がブラシ研磨された金属でできている、請求項１〜９又は１１のいずれか１項記載の光起電力デバイス。
【請求項１３】
前記基材が平面であり、前記容器が前記フィラー層中に浸漬されている、請求項１〜１２のいずれか１項記載の光起電力デバイス。
【請求項１４】
前記基材が非平面であり、前記容器が、前記少なくとも1つのソーラーセル中のソーラーセルと前記外部透明ケーシングとの間のフィラー層中に浸漬されている、請求項１〜１２のいずれか１項記載の光起電力デバイス。
【請求項１５】
前記外部透明ケーシングが管状であり、前記基材を包み込んでいる、請求項１〜１４のいずれか１項記載の光起電力デバイス。
【請求項１６】
前記フィラー組成物の体積熱膨張率が250×10-6/℃を超える、請求項１〜１５のいずれか１項記載の光起電力デバイス。
【請求項１７】
前記少なくとも1つのソーラーセル中のソーラーセルが、
前記基材上に配置された導電性材料；
該導電性材料の全て又は一部の上に配置された半導体接合部；及び
該半導体接合部の全て又は一部の上に配置された透明導電性層
を含む、請求項１〜１６のいずれか１項記載の光起電力デバイス。
【請求項１８】
前記半導体接合部が、ホモ接合、ヘテロ接合、ヘテロ面接合、埋込ホモ接合、p-i-n接合、又はタンデム接合を含む、請求項１７記載の光起電力デバイス。
【請求項１９】
前記半導体接合部が吸収体層及び接合パートナー層を含み、該接合パートナー層が該吸収体層の上に配置されている、請求項１７記載の光起電力デバイス。
【請求項２０】
前記吸収体層が、銅−インジウム−ガリウム−二セレン化物であり、前記接合パートナー層が、In2Se3、In2S3、ZnS、ZnSe、CdInS、CdZnS、ZnIn2Se4、Zn1-xMgxO、CdS、SnO2、ZnO、ZrO2、又はドープされたZnOである、請求項１９記載の光起電力デバイス。
【請求項２１】
前記外部透明ケーシング上に配置される反射防止コーティングをさらに含む、請求項１〜２０のいずれか１項記載の光起電力デバイス。
【請求項２２】
前記反射防止コーティングが、MgF2、硝酸ケイ素、硝酸チタン、一酸化ケイ素、又は亜硝酸酸化ケイ素を含む、請求項２１記載の光起電力デバイス。
【請求項２３】
前記基材がプラスティック又はガラスを含む、請求項１〜２２のいずれか１項記載の光起電力デバイス。
【請求項２４】
前記基材が、金属又は金属合金を含む、請求項１〜２２のいずれか１項記載の光起電力デバイス。
【請求項２５】
追加の1つ以上の容器をさらに含み、該追加の1つ以上の容器中のそれぞれの容器が前記内部体積内にある、請求項１〜２４のいずれか１項記載の光起電力デバイス。
【請求項２６】
前記の少なくとも1つのソーラーセルが、前記基材上にモノリシック集積化された複数のソーラーセルを含む、請求項１〜２５のいずれか１項記載の光起電力デバイス。
【請求項２７】
前記複数のソーラーセル中の第1ソーラーセルが、該複数のソーラーセル中の第2ソーラーセルに直列に電気的に結合している、請求項２６記載の光起電力デバイス。
【請求項２８】
前記複数のソーラーセル中の第1ソーラーセルが、該複数のソーラーセル中の第2ソーラーセルに並列に電気的に結合している、請求項２６記載の光起電力デバイス。
【請求項２９】
前記容器が、(i)前記フィラー層が第1熱膨張状態にある場合と(ii)該フィラー層が第2熱収縮状態にある場合との間で、容器体積を最大5％減少させる、請求項１〜２８のいずれか１項記載の光起電力デバイス。
【請求項３０】
前記容器が、(i)前記フィラー層が第1熱膨張状態にある場合と(ii)該フィラー層が第2熱収縮状態にある場合との間で、容器体積を最大5％減少させる、又は容器体積を最大40％減少させる、請求項１〜２８のいずれか１項記載の光起電力デバイス。
【請求項３１】
前記基材又は前記外部透明ケーシングが剛性である、請求項１〜３０のいずれか１項記載の光起電力デバイス。
【請求項３２】
前記基材又は前記外部透明ケーシングが線形材料でできている、請求項１〜３１のいずれか１項記載の光起電力デバイス。
【請求項３３】
前記基材又は前記外部透明ケーシングのヤング率が、40GPa以上である、請求項１〜３２のいずれか１項記載の光起電力デバイス。
【請求項３４】
前記容器が500トル未満の圧力下にある、請求項１〜３３のいずれか１項記載の光起電力デバイス。
【請求項３５】
前記容器が不活性ガスを含む、請求項１〜３４のいずれか１項記載の光起電力デバイス。
【請求項３６】
前記基材が平面である、請求項１記載の光起電力デバイス。
【請求項３７】
前記少なくとも1つのソーラーセルが、前記基材上に円周状に配置されている、請求項１記載の光起電力デバイス。
【請求項３８】
前記光起電力デバイスが細長い、請求項１〜３７のいずれか１項記載の光起電力デバイス。
【請求項３９】
前記基材が、境界形状を有する断面により特徴づけられており、該境界形状が、円形、楕円形、多角形、卵形であり、或いは、該境界形状が、１つ以上のなめらかな曲線状面又は1つ以上の弓形端部により特徴づけられている、請求項１記載の光起電力デバイス。
【請求項４０】
前記フィラー層がゲルである、請求項１〜３９のいずれか１項記載の光起電力デバイス。
【請求項４１】
前記フィラー層が液体である、請求項１〜３９のいずれか１項記載の光起電力デバイス。